(57)【要約】【課題】取引効率と使い勝手を向上できるようにした現金自動機およびその制御方法を提供すること。【解決手段】現金自動機１は、ユーザ操作に応じて現金を出金する。現金自動機１は、制御部１２１と、制御部により制御され、ユーザ操作可能な情報入出力装置１１６とを備える。制御部１２１は、最少額の金種以外の金種の中から予め複数選択される所定の金種別に紙幣枚数を入力する紙幣枚数入力部Ｂ１（１）〜（３）と、紙幣枚数入力部から入力される所定の金種別の紙幣枚数に基づく合計金額を表示する合計金額表示部ＧＰ１とを含む紙幣枚数指定画面Ｇを情報入出力装置に表示させ、所定の金種別の現金を紙幣枚数入力部に入力された紙幣枚数通りに出金させる。【選択図】図１
2019120996.tif 000002
【特許請求の範囲】
【請求項１】
ユーザ操作に応じて現金を出金する現金自動機であって、
制御部と、
前記制御部により制御され、ユーザ操作可能な情報入出力装置とを備え、
前記制御部は、
最少額の金種以外の金種の中から予め複数選択される所定の金種別に紙幣枚数を入力する紙幣枚数入力部と、前記紙幣枚数入力部から入力される前記所定の金種別の紙幣枚数に基づく合計金額を表示する合計金額表示部とを含む紙幣枚数指定画面を前記情報入出力装置に表示させ、
前記所定の金種別の現金を前記紙幣枚数入力部に入力された紙幣枚数通りに出金させる、
現金自動機。
【請求項２】
前記制御部は、前記所定の金種のうち残紙幣枚数が所定の出金可能紙幣枚数未満の金種については、前記紙幣枚数入力部において紙幣枚数の増加を禁止させる、
請求項１に記載の現金自動機。
【請求項３】
前記所定の出金可能紙幣枚数は、残紙幣枚数から所定の必要紙幣枚数を差し引いた値である、
請求項２に記載の現金自動機。
【請求項４】
前記制御部は、前記所定の金種のうち出金上限金額と合計金額との差分より大きな金種については、前記紙幣枚数入力部において紙幣枚数の増加を禁止させる、
請求項１に記載の現金自動機。
【請求項５】
前記制御部は、
前記紙幣枚数入力部と前記合計金額表示部を含む第１の紙幣枚数指定画面または、
合計金額指定画面であって、合計金額を入力する合計金額指定画面と、
前記合計金額指定画面で指定された合計金額に一致する現金を出金できない場合に遷移する第２の紙幣枚数指定画面と、
第１または第２の紙幣枚数指定画面の少なくともいずれか１つの画面を前記情報入出力装置に表示させる、
請求項１〜４のいずれか一項に記載の現金自動機。
【請求項６】
現金自動機を制御する方法であって、
ユーザにより入力される所定の金種別の紙幣枚数を紙幣枚数入力部から取得し、
前記紙幣枚数入力部へ入力される前記所定の金種別の紙幣枚数に基づく合計金額を計算して合計金額表示部へ表示し、
所定の条件を満たす場合に、前記所定の金種別の現金を前記紙幣枚数入力部に入力された紙幣枚数通りに出金する、
現金自動機の制御方法。
【発明の詳細な説明】
【技術分野】
【０００１】
本発明は、現金自動機およびその制御方法に関する。
【背景技術】
【０００２】
例えばＡＴＭ（Automated Teller Machine）等の現金自動機において、ユーザの希望する金額をユーザの希望する金種および枚数で出金できるようにした技術は知られている（特許文献１）。
【先行技術文献】
【特許文献】
【０００３】
【特許文献１】特開２００４−２３４６９４号公報
【発明の概要】
【発明が解決しようとする課題】
【０００４】
従来技術では、最初にユーザの所望金額を取得し、その次にユーザの所望金額に合致するように金種別の内訳を指定させる。しかし、場合によっては、最少額の紙幣を現金自動機で取り扱わないことがある。最少額の紙幣は使用回数が多いため、状態が悪化しやすく、紙幣詰まりの原因になるためである。したがって、比較的高額の金種のみが現金自動機で取り扱われ、最少額の金種は取り扱われない場合がある。
【０００５】
この結果、ユーザが所望金額を入力したとしても、その金額によっては、現金自動機は入力された金額通りに紙幣を出金できない場合がある。ユーザの所望金額に合致する現金を出金できない場合、その出金操作は失敗となり、再度の出金操作が必要となる。これにより、ユーザの使い勝手が低下する上に、現金自動機の運用者にとっては１ユーザ当たりの取引時間が長くなるため、現金自動機の運用効率が低下する。
【０００６】
本発明は上述の課題に鑑みてなされたもので、その目的は、取引効率と使い勝手を向上できるようにした現金自動機およびその制御方法を提供することにある。
【課題を解決するための手段】
【０００７】
上記課題を解決すべく、本発明に従う現金自動機は、ユーザ操作に応じて現金を出金する現金自動機であって、制御部と、制御部により制御され、ユーザ操作可能な情報入出力装置とを備え、制御部は、最少額の金種以外の金種の中から予め複数選択される所定の金種別に紙幣枚数を入力する紙幣枚数入力部と、紙幣枚数入力部から入力される所定の金種別の紙幣枚数に基づく合計金額を表示する合計金額表示部とを含む紙幣枚数指定画面を情報入出力装置に表示させ、所定の金種別の現金を紙幣枚数入力部に入力された紙幣枚数通りに出金させる。
【発明の効果】
【０００８】
本発明に係る現金自動機によれば、ユーザが所定の金種別に紙幣枚数を入力すると、その合計金額が表示されるとともに、所定の金種別の現金を入力された紙幣枚数通りに出金させることができる。
【図面の簡単な説明】
【０００９】
【図１】現金自動機の全体概要を示す説明図である。
【図２】金種別に紙幣を管理する紙幣管理機構の概略を示す説明図である。
【図３】現金自動機とホストを含む現金取引システムの全体を示す説明図である。
【図４】現金自動機の利用方法を示す説明図である。
【図５】出金操作画面の例である。
【図６】出金処理のフローチャートである。
【図７】出金操作画面の他の例である。
【図８】第２実施例に係り、出金処理のフローチャートである。
【図９】出金操作画面の例である。
【図１０】出金操作画面の他の例である。
【図１１】第３実施例に係り、出金処理のフローチャートである。
【図１２】第４実施例に係り、出金操作画面の例である。
【発明を実施するための形態】
【００１０】
以下、図面に基づいて、本発明の実施の形態を説明する。本実施形態に係る現金自動機は、ユーザが所定の金種別に枚数を入力すると、その入力された枚数通りに現金を出金させる。すなわち、本実施形態では、先に金額を入力し、その次に金種の内訳を調整するのではなく、先に金種別に枚数を入力し、その金種別の枚数通りに出金させる。
【実施例１】
【００１１】
図１〜図７を用いて第１実施例を説明する。図１は、本実施例に係る現金自動機１の全体概要を示す説明図である。
【００１２】
例えばＡＴＭのように構成される現金自動機１は、例えば、本体１１と、現金入出金部１１３と、情報入出力装置１１６と、制御部１２１とを備える。本体１１の内部構成の概略は図２で後述する。現金自動機１の機能構成は図３で後述する。
【００１３】
情報入出力装置１１６は、ユーザとの間で情報を交換する装置であり、情報入力部と情報出力部とを備える。ここでは、情報入出力装置１１６は、タッチ操作可能なディスプレイ等のように、情報入力部と情報出力部とが一体化された装置として構成される。これに限らず、例えば、ディスプレイとボタンスイッチ、ディスプレイと音声入力装置などのように情報入力部と情報出力部とを分けてもよい。
【００１４】
情報入出力装置１１６には、制御部１２１で生成される画面Ｇが表示される。画面Ｇは、「枚数指定画面」または「第１の枚数指定画面」に該当する。画面Ｇは、例えば、合計金額表示部ＧＰ１と、金種別枚数入力ボタンＢ１（１），Ｂ１（２），Ｂ１（３）と、確認ボタンＢ２を備える。金種別枚数入力ボタンＢ１（１）〜Ｂ１（３）は、「紙幣枚数入力部」に該当する。なお、ボタンＢ１（１）〜Ｂ１（３）を特に区別しない場合、金種別枚数入力ボタンＢ１と略記する。より詳しい画面構成例は、図５で後述する。
【００１５】
後述のように、出金を希望するユーザは、金種別枚数入力ボタンＢ１を操作することにより、金種別に所望枚数を入力し、確認ボタンＢ２を操作する。これにより、制御部１２１は、金種別に指定された枚数の紙幣を現金入出金部１１３に出現させる。
【００１６】
図２は、現金自動機１の紙幣管理機構の概略を示す説明図である。本体１１の下側には、回収対象紙幣を収容する回収部１１１と、金種別の紙幣収容部１１２（１）〜１１２（３）が設けられている。
【００１７】
本実施例では、最少額の金種以外の金種の中から予め複数選択される所定の金種として、例えば「１００ｋ」「５０ｋ」「２０ｋ」の３種類を例示するが、これに限らず、２種類以上であればよい。
【００１８】
本体１１内の紙幣管理機構の上側には、現金入出金部１１３と、一時収容部１１４と、鑑別装置１１５と、搬送部１１７とが設けられている。
【００１９】
現金入出金部１１３に投入された現金は、搬送部１１７によりいったん一時収容部１１４へ搬送されて格納される。その後、一時収容部１１４内の現金は、搬送部１１７により鑑別装置１１５へ搬送されて、回収すべきか否か鑑別される。偽札や損傷の度合いの大きい紙幣は、鑑別装置１１５により回収すべきと判断される。
【００２０】
鑑別装置１１５により回収すべきと判定された紙幣は、搬送部１１７により回収部１１１へ搬送されて格納される。正規の紙幣であって、損傷の度合いの低い紙幣は、金種別に、搬送部１１７により紙幣収容部１１２へ搬送されて収容される。回収対象とならない紙幣は、金種別に紙幣収容部１１２に送られて収容される。
【００２１】
図３は、現金自動機１を含む現金取引システムの全体概要を示す説明図である。ホストコンピュータ（以下、ホスト）２には、通信ネットワークＣＮを介して複数の現金自動機１が双方向通信可能に接続されている。ホスト２は、各現金自動機１から通信ネットワークＣＮを介して送信される入出金情報に基づいて、入出金の許否を判断し、その判断結果を現金自動機１へ返信する。
【００２２】
現金自動機１の機能構成を説明する。現金自動機１は、例えば、制御部１２１と、記憶部１２２と、通信部１２３とを備えるコンピュータシステムとして構成される。制御部１２１は、現金自動機１の全体動作を制御するものである。記憶部１２２は、例えば、ハードディスクドライブ等の不揮発性記憶装置から構成されており、制御部１２１で実行されるコンピュータプログラムや入出金データ等を格納する。通信部１２３は、通信ネットワークＣＮに接続して、ホスト２と通信するものである。
【００２３】
図４は、現金自動機１の利用方法の一例を示す説明図である。ここでは入金操作を主に説明するが、出金操作もほぼ同様である。
【００２４】
現金自動機１は、ユーザの携帯情報端末（携帯電話、いわゆるスマートフォンや、非接触ＩＣタグを取り付けた携帯電話等の端末を含む）３と通信することにより、認証処理を実行する。現金自動機１は、情報入出力装置１１６に対するユーザ操作を受け付け（Ｓ２）、ユーザの投入する現金を現金入出金部１１３から取得し（Ｓ３）、入金処理を行う。現金自動機１は、入金処理についてホスト２に問合せ、ホスト２からの承認を受領する。そして、現金自動機１は情報入出力装置１１６へ入金処理の結果表示を行い、ホスト２からも入金処理の結果がユーザの携帯情報端末３へ通知される（Ｓ４）。出金操作の場合も同様に、現金自動機１は、金額等の情報をホスト２へ通知し、ホスト２からの承認を受領し、ユーザの希望する現金をユーザの希望する金種別の紙幣枚数で出金する。
【００２５】
図５は、出金操作画面Ｇ１の一例を示す。出金操作画面Ｇ１は、「紙幣枚数指定画面」に該当する。出金操作画面Ｇ１は、現金自動機１が出金処理を行う際に情報入出力装置１１６に提示される。
【００２６】
出金操作画面Ｇ１は、例えば、合計金額表示部ＧＰ１１と、金種別枚数入力ボタンＢ１１（１），Ｂ１１（２），Ｂ１１（３）と、確認ボタンＢ１２と、クリアボタンＢ１３と、ＵｎｄｏボタンＢ１４と、ＥｘｉｔボタンＢ１５と、合計金額指定ボタンＢ１６とを備える。金種別枚数入力ボタンＢ１１（１）〜Ｂ１１（３）は、「紙幣枚数入力部」に該当する。なお、ボタンＢ１１（１）〜Ｂ１１（３）を特に区別しない場合、金種別枚数入力ボタンＢ１１と略記する。合計金額指定ボタンＢ１６をユーザが操作すると、例えば、図９で後述する画面Ｇ２へ遷移する。
【００２７】
出金を希望するユーザは、金種別枚数入力ボタンＢ１１を操作することにより、所望の金種の紙幣を所望枚数だけ指定することができる。例えば、金種別枚数入力ボタンＢ１１が「１００ｋ」「５０ｋ」「２０ｋ」の３種類である場合を説明する。
【００２８】
ユーザが「２０ｋ」のボタンＢ１１（３）を１回操作すると、現金自動機１は合計金額表示部ＧＰ１１に「Ｔｏｔａｌ：２０ｋ」と表示させる。ユーザが「２０ｋ」のボタンＢ１１（３）をもう一度操作すると、合計金額表示部ＧＰ１１には「Ｔｏｔａｌ：４０ｋ」と表示される。さらにユーザが「１００ｋ」ボタンＢ１１（１）を一回操作すると、合計金額表示部ＧＰ１１には「Ｔｏｔａｌ：１４０ｋ」と操作される。さらにユーザが「５０ｋ」ボタンＢ１１（２）を一回操作すると、合計金額表示部ＧＰ１１には「Ｔｏｔａｌ：１９０ｋ」と表示される。
【００２９】
このように現金自動機１は、金種別に枚数入力ボタンＢ１１の操作回数と金種の金額とを乗じ、それら金種別小計の合計値を合計金額表示部ＧＰ１１に表示させる。入力した操作を全てリセットしたい場合、ユーザはクリアボタンＢ１３を操作すればよい。一回前の操作に戻したい場合、ユーザはＵｎｄｏボタンＢ１４を操作すればよい。操作を一回前に戻すことにより、合計金額表示部ＧＰ１１の表示金額も変化する。ユーザが確認ボタンＢ１２を操作すると、現金自動機１はホスト２と通信し、ホスト２からの承認を得る。そして、現金自動機１は、ユーザが金種別に指定した紙幣枚数通りに、現金入出金部１１３から現金を出力する。
【００３０】
図６，図７で後述するように、現金自動機１は、ユーザから要求された金種の紙幣が所定の出金可能枚数未満になると、その紙幣をそれ以上選択できないようにする。
【００３１】
図６は、本実施例に係る出金処理のフローチャートである。このフローチャートは出金処理の概要を示すものであり、ステップの順番は図示のものに限られない。
【００３２】
現金自動機１は、例えば、情報入出力装置１１６への暗証番号等の入力または携帯情報端末３との認証用通信により、ユーザ認証を実行する（Ｓ１１）。ここでは、ユーザ認証に成功したものとして説明を続ける。
【００３３】
現金自動機１は、図６に示す出金操作画面Ｇ１を情報入出力装置１１６に表示させ、紙幣枚数を増加させる操作が可能か判定する（Ｓ１２）。図５の例では、金種別枚数入力ボタンＢ１１を操作して紙幣枚数の増加が可能か判定する。
【００３４】
例えば、現金自動機１の金種別紙幣収容部１１２に収容されている紙幣のうち、残枚数が所定の出金可能枚数未満になった金種については（Ｓ１２：ＮＯ）、紙幣枚数を増加する操作が禁止される（Ｓ１３）。ここで、出金可能枚数は、例えば、残枚数から所定の必要枚数を差し引いた値として算出することができる（出金可能枚数＝残枚数−所定の必要枚数）。
【００３５】
金種別枚数入力ボタンＢ１１を枚数増加方向へ操作可能な場合（Ｓ１２：ＹＥＳ）、現金自動機１は、金種別枚数入力ボタンＢ１１に対するユーザ入力（ユーザ操作）を取得し（Ｓ１４）、取得した値を記憶する（Ｓ１５）。
【００３６】
現金自動機１は、出金についてのユーザ操作が終了したか判断する（Ｓ１６）。例えば、確認ボタンＢ１２が操作された場合、出金に関するユーザ操作が終了したと判断することができ（Ｓ１６：ＹＥＳ）、後述のステップＳ１７へ移る。これに対し、ユーザ操作が終了していないと判断された場合（Ｓ１６：ＮＯ）、ステップＳ１２へ戻る。
【００３７】
現金自動機１は、ユーザによる出金操作が終了したと判定すると（Ｓ１６：ＹＥＳ）、出金可能か判断する（Ｓ１７）。例えば、現金自動機１は、ホスト２に対して出金してもよいか照会する。ホスト２から出金についての承認が得られると（Ｓ１７：ＹＥＳ）、現金自動機１は、ステップＳ１４でユーザから入力された枚数通りに、各金種の紙幣を現金入出金部１１３から出金させる（Ｓ１８）。
【００３８】
これに対し、ホスト２がユーザの出金操作を承認しない場合（Ｓ１７：ＮＯ）、エラー処理を実行する（Ｓ１９）。エラー処理では、例えば「残高不足です」等のエラーメッセージが情報入出力装置１１６に表示される。
【００３９】
図７は、ユーザ操作が禁止された状態のボタンＢ１１を含む画面Ｇ１の例である。図６のステップＳ１２，Ｓ１３で述べたように、現金自動機１は、例えば、残枚数が所定の出金可能枚数未満になった金種の出金を防止するために、金種別枚数入力ボタンＢ１１を操作できないようにする。操作禁止に設定されたボタンＢ１１（３）をユーザが操作しても、現金自動機１はその入力を取得せず、合計金額表示部ＧＰ１１に反映させない。
【００４０】
図７の例では、「２０ｋ」のボタンＢ１１（３）が現金自動機１により操作禁止に設定されている。例えば、ユーザは合計で「１９０ｋ」の現金を希望しているが、現金自動機１では「２０ｋ」の紙幣が不足しているために１枚しか出すことができない場合、「２０ｋ」のボタンＢ１１（３）の操作は禁止される。したがって、ユーザは、合計で「１７０ｋ」の現金で我慢するか、あるいは「５０ｋ」のボタンＢ１１（２）をもう一度操作して合計金額を「２２０ｋ」にする。ユーザは、合計金額指定ボタンＢ１６を操作することにより、図９に示す画面Ｇ２を情報入出力装置１１６に表示させることもできる。
【００４１】
このように構成される本実施例によれば、最少額の金種以外の金種の中から予め複数選択される所定の金種のみを取り扱う現金自動機１において、合計金額よりも金種別の紙幣枚数を優先させて現金を出金させることができる。
【００４２】
したがって、本実施例によれば、ユーザの所望金額はその金額に最も近い紙幣枚数として実現されるため、出金操作が失敗する可能性を低減することができ、ユーザの使い勝手および運用効率を向上させることができる。
【００４３】
本実施例によれば、残枚数が不足している金種については、出金操作画面Ｇ１において紙幣枚数を増加させる操作を禁止するため、出金不能な枚数がユーザにより指定されるのを未然に防止することができる。
【実施例２】
【００４４】
図８〜図１０を用いて第２実施例を説明する。本実施例を含む以下の各実施例は、第１実施例の変形例に該当するため、第１実施例との相違を中心に説明する。本実施例では、ユーザの希望する金額で出金できない場合に、出金可能な金種別の紙幣枚数を指定できるようにしている。
【００４５】
図８は、本実施例による出金処理のフローチャートである。現金自動機１は、ユーザ認証を行った後（Ｓ３１）、図９に示す出金操作画面Ｇ２を情報入出力装置１１６に表示させ、ユーザの入力する合計金額を取得する（Ｓ３２）。
【００４６】
図９を参照する。「合計金額指定画面」の例である出金操作画面Ｇ２は、ユーザが合計金額を指定する画面である。出金操作画面Ｇ２は、例えば、合計金額表示部ＧＰ２１と、エラーメッセージ表示部ＧＰ２２と、テンキースイッチＢ２１と、確認ボタンＢ２２と、ＥｘｉｔボタンＢ２３とを含む。
【００４７】
図８に戻る。ユーザが所望の金額をテンキースイッチＢ２１から入力すると、現金自動機１は、その入力された金額を取得し（Ｓ３２）、入力された金額を合計金額表示部ＧＰ２１に表示させる。
【００４８】
現金自動機１は、ユーザによる金額入力が終了したか判定する（Ｓ３３）。現金自動機１は、ユーザが確認ボタンＢ２２を操作すると、金額入力が終了したものと判断することができる（Ｓ３３：ＹＥＳ）。
【００４９】
現金自動機１は、ユーザの入力した金額で出金可能か判定する（Ｓ３４）。現金自動機１は、入力された金額に一致する紙幣を保有しており、かつ、ホスト２の承認を得られた場合に出金可能であると判定する（Ｓ３４：ＹＥＳ）。そして、現金自動機１は、ユーザの所望する金額の現金を現金入出金部１１３から出金させる（Ｓ３５）。
【００５０】
これに対し、ユーザの希望する金額通りに出金できないと判定された場合（Ｓ３４：ＮＯ）、現金自動機１は、エラーメッセージ表示部ＧＰ２２に例えば「出金できません」等のエラーメッセージを表示させた後、図１０に示す出金操作画面Ｇ３を情報入出力装置１１６に表示させる（Ｓ３６）。
【００５１】
図１０を参照して出金操作画面Ｇ３を説明する。出金操作画面Ｇ３は、「第２の紙幣枚数指定画面」の例である。出金操作画面Ｇ３は、例えば、合計金額表示部ＧＰ３１と、金種別枚数入力ボタンＢ３１（１）〜（３）と、確認ボタンＢ３２と、ＥｘｉｔボタンＢ３３とを備える。金種別枚数入力ボタンＢ３１（１）〜（３）は、特に区別しない場合、金種別枚数入力ボタンＢ３１と呼ぶ。
【００５２】
金種別枚数入力ボタンＢ３１は、それぞれの金種を示す表示の上下に、枚数増加ボタンＢｕと枚数減少ボタンＢｄとを備えている。ユーザが枚数増加ボタンＢｕを操作すると、その金種の紙幣が１枚増加する。ユーザが枚数減少ボタンＢｄを操作すると、その金種の紙幣が１枚減少する。合計金額表示部ＧＰ３１には、各金種別枚数入力ボタンＢ３１で入力された紙幣枚数の合計に基づく金額が表示される。
【００５３】
図１０において、増加ボタンＢｕおよび減少ボタンＢｄは、操作可能である場合は白い三角形で示されており、操作不能である場合は黒い三角形で示されている。三角形の白黒以外の方法で操作可能か否かを区別してもよい。
【００５４】
図８に戻る。現金自動機１は、図１０で述べた画面Ｇ３をユーザに提示した後（Ｓ３６）、金種別枚数入力ボタンＢ３１を操作可能か（紙幣枚数の増加が可能か）を判定する（Ｓ３７）。
【００５５】
例えば、残枚数が所定の出金可能枚数未満である金種については、その金種に対応するボタンＢ３１を操作させない（Ｓ３７：ＮＯ）。現金自動機１は、出金に含める紙幣枚数を増加できないように、ボタンＢ３１の操作を禁止する（Ｓ３８）。図１０の例では、現金自動機１は、ボタンＢ３１（３）の増加ボタンＢｕを操作できないように設定し、黒い三角形でユーザに通知する。
【００５６】
これに対し、例えば、残枚数が所定の出金可能枚数以上である金種については、その金種に対応するボタンＢ３１をユーザに操作させることができる（Ｓ３７：ＹＥＳ）。現金自動機１は、ユーザから入力される金種別の紙幣枚数を取得し記憶する（Ｓ３９）。
【００５７】
現金自動機１は、ユーザによる金種別の紙幣枚数の入力操作が終了したか判定する（Ｓ４０）。現金自動機１は、例えば、確認ボタンＢ３２が操作されると入力操作が終了したと判定することができる。
【００５８】
現金自動機１は、入力操作が終了していないと判定すると（Ｓ４０：ＮＯ）、ステップＳ３７へ戻る。現金自動機１は、入力操作が終了したと判定すると（Ｓ４０：ＹＥＳ）、ユーザの入力した金種別の紙幣枚数通りに出金可能か判定する（Ｓ４１）。
【００５９】
現金自動機１は、ホスト２の承認を得る等して出金可能であると判定すると（Ｓ４１：ＹＥＳ）、ステップＳ３５へ移行して出金処理を実行する。これに対し、現金自動機１は、ホスト２の承認を得られない場合には、出金不能であると判定し（Ｓ４１：ＮＯ）、エラー処理を実行する（Ｓ４２）。エラー処理ではエラーメッセージを情報入出力装置１１６に表示させる。
【００６０】
このように構成される本実施例も第１実施例と同様の作用効果を奏する。本実施例によれば、増加ボタンＢｕと枚数減少ボタンＢｄとを用意しているため、ユーザは金種別に紙幣枚数を増加または減少させることができる。したがって、ユーザの使い勝手がさらに向上する。
【００６１】
さらに本実施例によれば、図９に示す出金操作画面Ｇ２をユーザに提供することにより、所望の金額を入力させることができ、その後に、金種別に紙幣枚数を指定可能な画面Ｇ３に遷移させる。したがって、ユーザは、例えば、合計金額表示部ＧＰ２１に表示された合計金額を目安として、所望の金種別の紙幣枚数を入力することができる。
【００６２】
さらに本実施例は、第１実施例から連続させて実行することもできる。すなわち、ユーザが合計金額指定ボタンＢ１６を操作すると、図９の合計金額指定画面Ｇ２へ遷移し、ユーザが画面Ｇ２において確認ボタンＢ２２を操作すると、図１０に示す出金操作画面Ｇ３へ遷移するように構成することもできる。さらに、図１０に示す出金操作画面Ｇ３単独で構成してもよい。その際のフローは図８のＳ３２〜Ｓ３４を除いたフローとなる。
【実施例３】
【００６３】
図１１を用いて第３実施例を説明する。本実施例では、出金可能枚数の算出方法等の詳細な例を説明する。
【００６４】
まず最初に現金自動機１は、ユーザが本体１１へ挿入するクレジットカードの番号やユーザが入力するパスワード等からユーザを認証する（Ｓ１０１）。
【００６５】
ユーザ認証後、現金自動機１は、金種別残枚数ａを確認し（Ｓ１０２）、「所定の必要枚数」としてのマージン枚数ｂを確認し（Ｓ１０３）、さらに金種別の最大出金枚数ｍを確認する（Ｓ１０４）。金種別最大出金枚数ｍとは、金種別に出金可能な紙幣の最大枚数である。例えば、一回の出金処理で払出可能な金額の上限（上限金額）が決められており、その上限金額を各金種の額面で除算した値が、その金種の最大出金枚数ｍとなる。例えば、一回の出金処理で払出可能な金額の上限を「５００ｋ」とすると、「１００ｋ」の紙幣は５枚まで（＝５００ｋ／１００ｋ）、「５０ｋ」の紙幣は１０枚まで（＝５００ｋ／５０ｋ）、「２０ｋ」の紙幣は２５枚まで（＝５００ｋ／２５ｋ）、出金可能である。
【００６６】
現金自動機１は、金種別残枚数ａからマージン枚数ｂを差し引くことにより、金種別に出金可能枚数ｃ（＝ａ−ｂ）をそれぞれ算出する（Ｓ１０５）。
【００６７】
現金自動機１は、金種別枚数入力ボタンを全て操作可能に設定する（Ｓ１０６）。現金自動機１は、ステップＳ１０５で算出した金種別出金可能枚数ｃのうち、ｃ＝０である金種が存在するか判定する（Ｓ１０７）。
【００６８】
ｃ≦０の金種が存在する場合（Ｓ１０７：ＹＥＳ）、すなわち、出金可能な紙幣が一枚もない金種がある場合、現金自動機１は、その金種の紙幣枚数を操作できないように（詳しくは紙幣枚数を増加させることができないように）、設定する（Ｓ１０８）。
【００６９】
紙幣を一枚以上出金できる金種については（Ｓ１０７：ＮＯ）、現金自動機１は、ボタン操作を制限せずにステップＳ１０９へ進む。
【００７０】
現金自動機１は、金種別出金枚数ｄに「０」を設定し（Ｓ１０９）、合計金額を計算し（Ｓ１１０）、算出した合計金額を画面に表示させる（Ｓ１１１）。ここでは処理が開始されたばかりなので、合計金額は「０」と表示される。
【００７１】
現金自動機１は、クリアボタンが操作されたか判定する（Ｓ１１２）。現金自動機１は、クリアボタンが操作されたと判定すると（Ｓ１１２：ＹＥＳ）、合計金額を消去してステップＳ１０６へ戻る。
【００７２】
続いて現金自動機１は、Ｅｘｉｔボタンが操作されたか判定する（Ｓ１１３）。現金自動機１は、Ｅｘｉｔボタンが操作されたと判定すると（Ｓ１１３：ＹＥＳ）、ステップＳ１２０へ進み、後処理を実行する。
【００７３】
後処理では、例えば、現金入出金部１１３の図示せぬシャッタを閉じたり、搬送部１１７上に紙幣が残留していないか確認したり、一時収容部１１４に収容された紙幣のうち損傷の激しい紙幣を回収部１１１へ移したり、出金処理が終了された旨の記録を残したりといった所定の処理を実施する。
【００７４】
現金自動機１は、金種別枚数入力ボタンが操作されたか判定し（Ｓ１１４）、操作された場合（Ｓ１１４：ＹＥＳ）、操作された金種の出金枚数ｄを１つインクリメントする（Ｓ１１５）。
【００７５】
現金自動機１は、操作された金種について、出金枚数ｄが出金可能枚数ｃに一致したか（ｄ＝ｃ）、あるいは、出金枚数ｄが最大出金枚数ｍに一致したか（ｄ＝ｍ）の少なくともいずれかに該当したか判定する（Ｓ１１６）。
【００７６】
現金自動機１は、ステップＳ１１６で検査する停止条件（ｄ＝ｃ  ｏｒ  ｄ＝ｍ）に該当しないと判定すると（Ｓ１１６：ＮＯ）、ステップＳ１１０へ戻る。これに対し、現金自動機１は、ステップＳ１１６の停止条件に該当すると判定すると（Ｓ１１６：ＹＥＳ）、停止条件に該当する金種の紙幣枚数を操作できないように（増加させることができないように）、その金種の枚数入力ボタンの操作を制限する（Ｓ１１７）。現金自動機１は、停止条件に該当する金種の紙幣枚数を入力するボタン操作を制限（禁止）させた後で、ステップＳ１１０へ戻る。現金自動機１は、ステップＳ１１０で合計金額を計算した後、前記上限金額と合計金額との差分を超える金種があるかを判定し（Ｓ１１０ａ）、該当する金種がある場合、その金種の紙幣枚数を操作できないように（増加させることができないように）、その金種の枚数入力ボタンの操作を制限する（Ｓ１１０ｂ）。
【００７７】
現金自動機１は、ステップＳ１１８において、金種別枚数入力ボタンが操作されないと判定すると（Ｓ１１８：ＮＯ）、確認ボタンが操作されたか判定する（Ｓ１１９）。確認ボタンが操作されていない場合（Ｓ１１９：ＮＯ）、ステップＳ１１１へ戻る。
【００７８】
現金自動機１は、確認ボタンが操作されたと判定すると（Ｓ１１８：ＹＥＳ）、ステップＳ１１５でカウントした金種別の出金枚数ｄに応じて、第１実施例等と同様に、ホスト２の承認を得る等して出金可能であることを確認した上で、現金入出金部１１３から現金を出金させる（Ｓ１１９）。
【００７９】
そして、現金自動機１は、後処理を実施した後（Ｓ１２０）、本処理を終了する。このように構成される本実施例も第１実施例と同様の作用効果を奏する。
【実施例４】
【００８０】
図１２を用いて第４実施例を説明する。本実施例では、出金操作画面Ｇ１ａにおいて、金種別枚数入力ボタンＢ１１（１）〜（３）に枚数カウンタＧＰ１２（１）〜（３）を対応づけている。
【００８１】
図１２に示す出金操作画面Ｇ１ａは、枚数カウンタＧＰ１２（１）〜（３）を除いて、図５で述べた出金操作画面Ｇ１と同様であるため、これ以上の説明を割愛する。
【００８２】
このように構成される本実施例も第１実施例と同様の作用効果を奏する。さらに、本実施例の出金操作画面Ｇ１ａは、枚数カウンタＧＰ１２（１）〜（３）を有するため、ユーザはどの金種の紙幣を何枚要求したか容易に確認することができ、使い勝手がますます向上する。
【００８３】
なお、本発明は、上述した実施形態に限定されない。当業者であれば、本発明の範囲内で、種々の追加や変更等を行うことができる。実施形態に述べた特徴は適宜組み合わせることもできる。
【符号の説明】
【００８４】
１：現金自動機、２：ホストコンピュータ、３：携帯情報端末、１１：本体、１１１：回収部、１１２：紙幣収容部、１１３：現金入出金部、１１４：一時収容部、１１５：鑑別装置、１１６：情報入出力装置、１２１：制御部、１２２：記憶部、１２３：通信部、Ｇ，Ｇ１，Ｇ２，Ｇ３，Ｇ１ａ：画面、ＣＮ：通信ネットワーク
【図１】
2019120996.tif 000003
【図２】
2019120996.tif 000004
【図３】
2019120996.tif 000005
【図４】
2019120996.tif 000006
【図５】
2019120996.tif 000007
【図６】
2019120996.tif 000008
【図７】
2019120996.tif 000009
【図８】
2019120996.tif 000010
【図９】
2019120996.tif 000011
【図１０】
2019120996.tif 000012
【図１１】
2019120996.tif 000013
【図１２】
2019120996.tif 000014